(57)【要約】【解決手段】中間ヒンジ体１に左右２つのヒンジ軸１ａ，１ａを形成する。折り戸Ａの左右２枚の扉ａ，ａ’に定着させ得る左右一対のヒンジ体２，２の左右対称的な円弧状の案内部材２ａ，２ａで前記ヒンジ軸１ａ，１ａを左右において抱持する。前記中間ヒンジ体１には、折り戸Ａの左右２枚の扉ａ，ａ’を折り畳んだ状態から広げる方向に前記左右一対のヒンジ体２，２が回転するのを規制するためのものであって、折り戸Ａの左右２枚の扉ａ，ａ’を広げたときの両扉ａ，ａ’間に手指を詰めない隙間Ｘを形成するためのストッパー１ｄ，１ｄを左右対称的に形成する。【効果】折り戸Ａの左右２枚の扉ａ，ａ’を広げたとき両扉ａ，ａ’間に少なくとも手指を詰めない隙間Ｘが形成されるので、両扉ａ，ａ’間に手指を挟む事態を回避することができる。【選択図】図３
2009052365.tif 000002
【特許請求の範囲】
【請求項１】
中間ヒンジ体に左右２つのヒンジ軸を形成し、折り戸の左右２枚の扉に定着させ得る左右一対のヒンジ体の左右対称的な円弧状の案内部材で前記ヒンジ軸を左右において抱持する一方、前記中間ヒンジ体には、折り戸の左右２枚の扉を折り畳んだ状態から広げる方向に前記左右一対のヒンジ体が回転するのを規制するためのものであって、折り戸の左右２枚の扉を広げたときの両扉間に手指を詰めない隙間を形成するためのストッパーを左右対称的に形成したことを特徴とする折り戸用指詰防止蝶番。
【請求項２】
折り戸の上下両端となる位置において、中間ヒンジ体の左右２つのヒンジ軸と左右一対のヒンジ体の左右対称的な円弧状の案内部材とに跨る抜け止め部材を取り付け、両抜け止め部材を左右２つのヒンジ軸にねじ込んだビスにより固定したことを特徴とする請求項１記載の折り戸用指詰防止蝶番。
【発明の詳細な説明】
【技術分野】
【０００１】
本発明は、折り戸の複数の扉を２枚以上に折り畳み得るように互いに連結するための蝶番であって、指詰を防止し得るようにしたものに関する。
【背景技術】
【０００２】
中間ヒンジ体に左右２枚の扉を連結し、中間ヒンジ体に対して左右２枚の扉を広げたり折り畳むことができるようにした折り戸が提案されている（例えば、特許文献１参照）。
【０００３】
【特許文献１】特開２００５−１３９８３２号公報
【発明の開示】
【発明が解決しようとする課題】
【０００４】
特許文献１に記載された発明は、中間ヒンジ体に対して扉を広げたとき中間ヒンジ体と扉との間に手指を詰めないための隙間を形成するようにしたものである。しかしながら、この部分にはゴム質弾性材からなり、弾性変形自在な緩衝材が取り付けられているので、中間ヒンジ体とゴム質弾性材との間で手指を挟むことに変わりはない。挟んでも怪我しにくいようにしてあるに過ぎない。そして、この場合にあっては、１つの中間ヒンジ体の左右両側において扉との間に手指を詰めないための隙間がそれぞれ形成されるようにしなければならないから、左右２枚の扉間の間隔はそれだけ大きくなり、一連の折り戸の幅も大きくなる。
【０００５】
本発明は、これらの欠点を解消するために、左右２つのヒンジ軸に対して左右２枚の扉を広げたり折り畳んだりすることができるようにするとともに、左右２枚の扉を広げたときの両扉間に手指を詰めない間隔を形成し得るようにしたものである。
【課題を解決するための手段】
【０００６】
すなわち、本発明では、中間ヒンジ体に左右２つのヒンジ軸を形成し、折り戸の左右２枚の扉に定着させ得る左右一対のヒンジ体の左右対称的な円弧状の案内部材で前記ヒンジ軸を左右において抱持する一方、前記中間ヒンジ体には、折り戸の左右２枚の扉を折り畳んだ状態から広げる方向に前記左右一対のヒンジ体が回転するのを規制するためのものであって、折り戸の左右２枚の扉を広げたときの両扉間に手指を詰めない隙間を形成するためのストッパーを左右対称的に形成してある。
【０００７】
この場合には、折り戸の左右２枚の扉を広げたとき両扉間に少なくとも手指を詰めない隙間が形成されるので、両扉間に手指を挟む事態を回避することができる。しかも、前記隙間とは左右２枚の扉を広げたときの両扉間の隙間であるから、手指を詰めない間隔まで左右２枚の扉を接近させて左右一対のヒンジ体にそれぞれ取り付けることができるので、一連の折り戸の幅をできるだけ小さくすることができる。
【０００８】
折り戸の上下両端となる位置において、中間ヒンジ体の左右２つのヒンジ軸と左右一対のヒンジ体の左右対称的な円弧状の案内部材とに跨る抜け止め部材を取り付け、両抜け止め部材を左右２つのヒンジ軸にねじ込んだビスにより固定しておくとよい。このようにした場合には、中間ヒンジ体と左右一対のヒンジ体とが抜け止め部材で上下から押え付けられるので、中間ヒンジ体と左右一対のヒンジ体が互いに分離してしまうのを防止できる。
【発明の効果】
【０００９】
請求項１記載の発明によれば、左右２枚の扉間に手指を挟む事態を回避することができるのみならず、一連の折り戸の幅をできるだけ小さくすることができる。
【００１０】
請求項２記載の発明によれば、中間ヒンジ体と左右一対のヒンジ体が互いに分離してしまうのを防止できる。
【発明を実施するための最良の形態】
【００１１】
本発明による折り戸用指詰防止蝶番の一例を、図面に基いて詳細に説明する。図１(a)には、その主要構成部品を分離した状態で、図１(b)には、両主要構成部品を組み合わせて折り戸Ａの左右２枚の扉ａ，ａ’を折り畳み得るように互いに連結した状態を示す。図１(a)に例示されている折り戸用指詰防止蝶番の主要構成部品は、中間ヒンジ体１と、この中間ヒンジ体１と組み合わせることができる左右一対のヒンジ体２，２である。
【００１２】
中間ヒンジ体１は、左右両側に位置する平面円形状の上下に長いヒンジ軸１ａ，１ａと、左右のヒンジ軸１ａ，１ａを左右に所定の間隔を置いて連結固定する上下に長い連結部材１ｂとからなっている。左右２つのヒンジ軸１ａ，１ａにはビス装着用の孔１ｃ，１ｃが上下に貫通するごとく形成されている。
【００１３】
一方、左右一対のヒンジ体２，２は、左右対称的な平面円弧状の上下に長い案内部材２ａ，２ａと、両案内部材２ａ，２ａと背中合わせの状態で接続される左右対称的な倒Ｌ字状の上下に長い羽根２ｂ，２ｂとからなっている。左右対称的な平面円弧状の案内部材２ａ，２ａは、前記中間ヒンジ体１の左右２つのヒンジ軸１ａ，１ａを抱持し得る大きさと形状であり、左右対称的な平面円弧状の案内部材２ａ，２ａで平面円形状の前記ヒンジ軸１ａ，１ａを左右において抱持することにより、中間ヒンジ体１と左右一対のヒンジ体２，２とを組み合わせることができる。
【００１４】
そして、左右対称的な倒Ｌ字状の羽根２ｂ，２ｂを折り戸Ａの左右２枚の扉ａ，ａ’の対向する端部に定着させることにより、図１(b)に示すように、折り戸Ａの左右２枚の扉ａ，ａ’を本蝶番により連接することができ、この連接部分で折り戸Ａの左右２枚の扉ａ，ａ’を図３(a)に示すように折り畳んだり、図３(b)に示すように広げたりすることができる。この場合の回転中心は図１(a)において図面符号Ｏ，Ｏ’で示す点である。
なお、左右対称的な倒Ｌ字状の羽根２ｂ，２ｂからは左右方向に延び出ていて上下に複数本の打込ビス２ｃ，２ｃが配置されており、各打込ビス２ｃ，２ｃが折り戸Ａの左右２枚の扉ａ，ａ’の対向する端面からその内部に打ち込まれる。
【００１５】
この折り戸Ａは、例えば図２に示すように、上下のレールＢ，Ｂ’間に嵌め込んで上下のレールＢ，Ｂ’に沿って走行させることができ、しかも、２つ以上に折り畳むことができる。
２つに折り畳み得る折り戸Ａの左側の扉ａと右側の扉ａ’の上隅および下隅付近にはピボット５，５’とピボット６，６’とが取り付けてある。ピボット５の上端には案内ランナー５ａが、ピボット５’の上端には上部受金具５ａ’が取り付けられ、前記案内ランナー５ａは上レールＢの走行溝ｂに直接嵌合せしめられ、前記上部受金具５ａ’は上レールＢの走行溝ｂに嵌入してネジ７で上レールＢと上部材Ｃとに固定してある。
【００１６】
一方、下側のピボット６の下端には下部ランナー６ａが、また、下側のピボット６’の下端には下部受金具６ａ’が取り付けられ、前記下部ランナー６ａは下レールＢ’の走行溝ｂ’に直接嵌合せしめられ、前記下部受金具６ａ’は下レールＢ’の走行溝ｂ’に嵌入してネジ７’で下レールＢ’と下部材Ｃ’とに固定してある。
【００１７】
このようにすると、２つに折り畳み得る折り戸Ａを上下のレールＢ，Ｂ’間に嵌め込んで上下のレールＢ，Ｂ’に沿って走行させることができる。そして、左側の扉ａの端をつかんで上下一対の上レールＢと下レールＢ’に沿ってスライドさせることにより、１枚の折り戸Ａを例えば図２(a)に示す状態に折り畳んだり、図３(a)に示すように２枚重ねとなるように折り畳んだり、逆に、図１(b)、図２(b)、図３(b)に示すように１枚に広げることができる。
【００１８】
ところで、前記中間ヒンジ体１には、左右２枚の扉ａ，ａ’を折り畳んだ状態（図３(a)の状態）から広げる方向（図３(a)の矢印方向）に前記左右一対のヒンジ体２，２が回転するのを規制するためのものであって、左右２枚の扉ａ，ａ’を広げたときの両扉ａ，ａ’間に手指を詰めない隙間Ｘ（図３(b)参照）を形成するためのストッパー１ｄ，１ｄが左右対称的に形成されている。ここでは、前記左右２つのヒンジ軸１ａ，１ａと連結部材１ｂとの連結部分に形成されている左右の段部をストッパー１ｄ，１ｄとして利用している場合を例示する。これとは別に、左右２つのヒンジ軸１ａ，１ａの外周面に別途ストッパーを突出形成するなど、その設け方は適宜変更可能である。
【００１９】
このように、前記中間ヒンジ体１に折り戸Ａの左右２枚の扉ａ，ａ’を広げたときの両扉ａ，ａ’間に手指を詰めない隙間Ｘを形成するためのストッパー１ｄ，１ｄが左右対称的に形成されていると、図３(a)の状態から図３(b)に示すように左右２枚の扉ａ，ａ’を広げたとき、左右一対のヒンジ体２，２の案内部材２ａ，２ａの前縁２ａ’，２ａ’が左右対称的なストッパー１ｄ，１ｄに衝突してそれ以上回転しないから、両扉ａ，ａ’間に少なくとも手指を詰めない隙間Ｘが形成されることになり、両扉ａ，ａ’間に手指を挟む事態を回避することができる。しかも、前記隙間Ｘとは左右２枚の扉ａ，ａ’を広げたときの両扉ａ，ａ’間の隙間であるから、手指を詰めない間隔Ｘまで左右２枚の扉ａ，ａ’を接近させて左右一対のヒンジ体２，２にそれぞれ取り付けることができるので、一連の折り戸Ａの幅をできるだけ小さくすることができる。
【００２０】
折り戸Ａの左右２枚の扉ａ，ａ’を広げたときの両扉ａ，ａ’間に少なくとも手指を詰めない隙間Ｘが形成されるようにするためには、図１(b)及び図３(b)に示すように、左右対称的なストッパー１ｄ，１ｄ間の間隔Ｘ’を前記隙間Ｘに対応するような寸法に設定しておけばよい。すなわち、左右対称的なストッパー１ｄ，１ｄ間の間隔をＸ’に設定することで、左右２枚の扉ａ，ａ’を広げたときの両扉ａ，ａ’間に少なくとも手指を詰めない隙間Ｘが形成されるのであれば、左右対称的なストッパー１ｄ，１ｄ間の間隔をＸ’に設定するだけで、両扉ａ，ａ’間に手指を挟む事態を回避することができる。
【００２１】
なお、折り戸Ａの左右２枚の扉ａ，ａ’を図３(b)の状態から図３(a)に示すように２枚重ねに折り畳んだとき、左右一対のヒンジ体２，２の案内部材２ａ，２ａの後縁２ａ”，２ａ”が中間ヒンジ体１の裏側（左右２つのヒンジ軸１ａ，１ａと連結部材１ｂとの接合部裏側）に入り込んでそれ以上回転しないようになっており、折り戸Ａの左右２枚の扉ａ，ａ’を両扉ａ，ａ’間に隙間ｘが保たれる状態で、しかも、左右一対の前記ヒンジ体２，２の左右対称的な羽根２ｂ，２ｂの裏面間にわずかの隙間ｘ0が形成される状態で、折り畳むことができるようにしてある。
【００２２】
ここでは、折り戸Ａの上下両端となる位置において、中間ヒンジ体１の左右２つのヒンジ軸１ａ，１ａと左右一対のヒンジ体２，２の左右対称的な平面円弧状の案内部材２ａ，２ａとに跨る抜け止め部材３，３を取り付け、両抜け止め部材３，３を左右２つのヒンジ軸１ａ，１ａの前記孔１ｃ，１ｃに上下からねじ込んだビス４，４により固定した場合が例示されている。
このようにした場合には、中間ヒンジ体１と左右一対のヒンジ体２，２とが上下２枚の抜け止め部材３，３で上下から押え付けられるので、中間ヒンジ体１と左右一対のヒンジ体２，２が互いに分離してしまうのを防止でき、一連の折り戸Ａ，Ａを幅広く連結することができる。
【００２３】
なお、図１(a)に示す中間ヒンジ体１に代えて、図４(a)において１ａ’で示すように、左右２つのヒンジ軸１ａ，１ａを平面環状にすることもできる。また、図１(a)、図４(a)に示すような形状に押出成形できない場合には、図４(b)において１ｂ’で、あるいは図４(c)において１ｃ’で示すような形状にしてもよい。
【図面の簡単な説明】
【００２４】
【図１】本発明による折り戸用指詰防止蝶番の一例を示す平面図で、(a)は、その主要構成部品を分離した状態で、(b)は、両主要構成部品を組み合わせて折り戸の左右２枚の扉を折り畳み得るように互いに連結した状態を示す。
【図２】上下のレール間に嵌め込まれて上下のレールに沿って走行させることができ、しかも、２つ以上に折り畳み得る折り戸に、本発明を適用した場合の一例を示す概略図で、(a)は平面図、(b)は一部を切り欠いて示す正面図である。
【図３】図１に示す折り戸用指詰防止蝶番の作動状態を説明するための平面図で、(a)は左右２枚の扉を折り畳んだ状態を、(b)は左右２枚の扉を広げた状態を示す。
【図４】中間ヒンジ体の変形例を示す平面図で、(a)は左右２つのヒンジ軸を平面環状にした場合を、(b)，(c)は図１(a)、図４(a)に示すような形状に押出成形できない場合の別の形状を例示するものである。
【符号の説明】
【００２５】
１…中間ヒンジ体、１ａ…ヒンジ軸、１ｃ…ビス装着用の孔、１ｄ…ストッパー、２…ヒンジ体、２ａ…案内部材、２ａ’…前縁、２ｂ…羽根、３…抜け止め部材、４…ビス、Ａ…折り戸、ａ，ａ’…扉、Ｘ…手指を詰めない隙間、Ｘ’…ストッパー間の間隔。
【図１】
2009052365.tif 000003
【図２】
2009052365.tif 000004
【図３】
2009052365.tif 000005
【図４】
2009052365.tif 000006
【手続補正書】
【提出日】平成20年5月15日(2008.5.15)
【手続補正１】
【補正対象書類名】図面
【補正対象項目名】図２
【補正方法】変更
【補正の内容】
【図２】
2009052365.tif 000007